(57)【要約】【課題】前方ディスプレイの表示の視認性を向上させることができる、表示システム、表示方法、及び表示プログラムを提供すること。【解決手段】前方ディスプレイ１１と後方ディスプレイ１２とが距離を隔てて重畳配置された表示システム１において、前方ディスプレイ１１の表示制御を行う前方制御部１３ａと、前方ディスプレイ１１を通して視認可能な後方ディスプレイ１２の表示制御を行う後方制御部１３ｂとを備え、後方制御部１３ｂは、前方ディスプレイ１１における表示画像の明度に基づき、後方ディスプレイ１２の少なくとも一部の領域の表示色を制御する色制御部１３ｃを備える。【選択図】図１
2013130841.tif 000002
【特許請求の範囲】
【請求項１】
複数のディスプレイが距離を隔てて重畳配置された表示システムにおいて、
前方ディスプレイの表示制御を行う前方制御手段と、
前記前方ディスプレイを通して視認可能な後方ディスプレイの表示制御を行う後方制御手段とを備え、
前記後方制御手段は、前記前方ディスプレイにおける表示画像の明度に基づき、前記後方ディスプレイの少なくとも一部の領域の表示色を制御する色制御手段を備える、
表示システム。
【請求項２】
前記後方制御手段は、複数の仮想的な表示レイヤーを前記後方ディスプレイに重畳表示し、
前記色制御手段は、前記前方ディスプレイにおける表示画像の明度に基づき、前記複数の仮想的な表示レイヤーの中から前記前方ディスプレイ側から見て最前方に配置された仮想的な表示レイヤーの少なくとも一部の領域の表示色を制御する、
請求項１に記載の表示システム。
【請求項３】
前記色制御手段は、前記前方ディスプレイにおける表示画像の明度が所定の基準値以上か否かを判定し、当該判定結果に基づき、前記最前方に配置された仮想的な表示レイヤーの少なくとも一部の領域の表示色を制御する、
請求項２に記載の表示システム。
【請求項４】
前記色制御手段は、
前記前方ディスプレイにおける表示画像の明度が所定の基準値以上の場合、前記最前方に配置された仮想的な表示レイヤーの少なくとも一部の領域の表示色を変更し、
前記前方ディスプレイにおける表示画像の明度が所定の基準値未満の場合、前記最前方に配置された仮想的な表示レイヤーの少なくとも一部の領域の表示色を変更しない、
請求項３に記載の表示システム。
【請求項５】
前記色制御手段は、前記前方ディスプレイにおける表示画像の種別に基づき、前記最前方に配置された仮想的な表示レイヤーの少なくとも一部の領域の表示色を制御する、
請求項２から４のいずれか一項に記載の表示システム。
【請求項６】
複数のディスプレイが距離を隔てて重畳配置された表示システムを用いて表示を行うための表示方法であって、
前方ディスプレイの表示制御を行う前方制御ステップと、
前記前方ディスプレイを通して視認可能な後方ディスプレイの表示制御を行う後方制御ステップとを含み、
前記後方制御ステップは、前記前方ディスプレイにおける表示画像の明度に基づき、前記後方ディスプレイの少なくとも一部の領域の表示色を制御する色制御ステップを含む、
表示方法。
【請求項７】
請求項６に記載の方法をコンピュータに実行させる表示プログラム。
【発明の詳細な説明】
【技術分野】
【０００１】
本発明は、表示システム、表示方法、及び表示プログラムに関する。
【背景技術】
【０００２】
従来、複数の液晶パネルを重畳配置して構成した多層表示装置（ＭＬＤ：Ｍｕｌｔｉ  Ｌａｙｅｒ  Ｄｉｓｐｌａｙ）が知られている。例えば、２枚の液晶パネルを重畳配置して構成したデュアルスクリーンディスプレイにおいて、後方スクリーン上に配置されている所定のターゲット画像要素と前方スクリーン上の画像要素とが重なる交差領域について前方スクリーンを透明にすることで、後方スクリーンに表示されるターゲット画像要素が見えるようにする方法が提案されている（例えば、特許文献１参照）。
【先行技術文献】
【特許文献】
【０００３】
【特許文献１】特表２００９−５１７６９８号公報
【発明の概要】
【発明が解決しようとする課題】
【０００４】
ところで、上述の如き従来の多層表示装置において前方のスクリーン（例えばデュアルスクリーンディスプレイにおける前方スクリーン）に表示されている画像の明度が明るい場合、当該画像が表示されている領域における透過率が高くなり、当該領域の直下で後方のスクリーンに表示されている画像も視認可能となる。その結果、前方のスクリーンに表示されている画像と後方のスクリーンに表示されている画像とが重なって見えることとなり、視認性が低下する可能性があった。しかしながら、上述の如き従来の方法は、交差領域について前方スクリーンを透明にすることで、後方スクリーンに表示されるターゲット画像要素が見えるようにするものに過ぎず、前方のスクリーンに表示されている画像の明度が明るい場合において、その前方のスクリーンに表示されている画像の視認性を向上させることが困難であった。このように従来の多層表示装置においては、視認性にさらなる向上の余地があった。
【０００５】
本発明は、上記に鑑みてなされたものであって、前方ディスプレイの表示の視認性を向上させることができる、表示システム、表示方法、及び表示プログラムを提供することを目的とする。
【課題を解決するための手段】
【０００６】
上述した課題を解決し、目的を達成するために、請求項１に記載の表示システムは、複数のディスプレイが距離を隔てて重畳配置された表示システムにおいて、前方ディスプレイの表示制御を行う前方制御手段と、前記前方ディスプレイを通して視認可能な後方ディスプレイの表示制御を行う後方制御手段とを備え、前記後方制御手段は、前記前方ディスプレイにおける表示画像の明度に基づき、前記後方ディスプレイの少なくとも一部の領域の表示色を制御する色制御手段を備える。
【０００７】
また、請求項２に記載の表示システムは、請求項１に記載の表示システムにおいて、前記後方制御手段は、複数の仮想的な表示レイヤーを前記後方ディスプレイに重畳表示し、前記色制御手段は、前記前方ディスプレイにおける表示画像の明度に基づき、前記複数の仮想的な表示レイヤーの中から前記前方ディスプレイ側から見て最前方に配置された仮想的な表示レイヤーの少なくとも一部の領域の表示色を制御する。
【０００８】
また、請求項３に記載の表示システムは、請求項２に記載の表示システムにおいて、前記色制御手段は、前記前方ディスプレイにおける表示画像の明度が所定の基準値以上か否かを判定し、当該判定結果に基づき、前記最前方に配置された仮想的な表示レイヤーの少なくとも一部の領域の表示色を制御する。
【０００９】
また、請求項４に記載の表示システムは、請求項３に記載の表示システムにおいて、前記色制御手段は、前記前方ディスプレイにおける表示画像の明度が所定の基準値以上の場合、前記最前方に配置された仮想的な表示レイヤーの少なくとも一部の領域の表示色を変更し、前記前方ディスプレイにおける表示画像の明度が所定の基準値未満の場合、前記最前方に配置された仮想的な表示レイヤーの少なくとも一部の領域の表示色を変更しない。
【００１０】
また、請求項５に記載の表示システムは、請求項２から４のいずれか一項に記載の表示システムにおいて、前記色制御手段は、前記前方ディスプレイにおける表示画像の種別に基づき、前記最前方に配置された仮想的な表示レイヤーの少なくとも一部の領域の表示色を制御する。
【００１１】
また、請求項６に記載の表示方法は、複数のディスプレイが距離を隔てて重畳配置された表示システムを用いて表示を行うための表示方法であって、前方ディスプレイの表示制御を行う前方制御ステップと、前記前方ディスプレイを通して視認可能な後方ディスプレイの表示制御を行う後方制御ステップとを含み、前記後方制御ステップは、前記前方ディスプレイにおける表示画像の明度に基づき、前記後方ディスプレイの少なくとも一部の領域の表示色を制御する色制御ステップを含む。
【００１２】
また、請求項７に記載の表示プログラムは、請求項６に記載の方法をコンピュータに実行させる。
【発明の効果】
【００１３】
請求項１に記載の表示システム、請求項６に記載の表示方法、及び請求項７に記載の表示プログラムによれば、前方ディスプレイにおける表示画像の明度に基づき、後方ディスプレイの少なくとも一部の領域の表示色を制御するので、前方ディスプレイの表示画像を透過する後方ディスプレイの表示色を適切に制御することができ、前方ディスプレイの表示の視認性を向上させることができる。
【００１４】
また、請求項２に記載の表示システムによれば、複数の仮想的な表示レイヤーを後方ディスプレイに重畳表示し、前方ディスプレイにおける表示画像の明度に基づき、複数の仮想的な表示レイヤーの中から前方ディスプレイ側から見て最前方に配置された仮想的な表示レイヤーの少なくとも一部の領域の表示色を制御するので、前方ディスプレイの表示画像を透過する最前方レイヤーの表示色を適切に制御することができ、後方ディスプレイの表示制御に要する処理負荷の増大を抑制しつつ、前方ディスプレイの表示の視認性を向上させることができる。
【００１５】
また、請求項３に記載の表示システムによれば、前方ディスプレイにおける表示画像の明度が所定の基準値以上か否かを判定し、当該判定結果に基づき、最前方に配置された仮想的な表示レイヤーの少なくとも一部の領域の表示色を制御するので、前方ディスプレイにおける画像の表示領域の直下で最前方レイヤーに表示されている画像が、前方ディスプレイを透過して明確に視認可能か否かに応じて最前方レイヤーの表示色を適切に制御することができ、必要な場合に前方ディスプレイの表示の視認性を向上させることができる。
【００１６】
また、請求項４に記載の表示システムによれば、前方ディスプレイにおける表示画像の明度が所定の基準値以上の場合、最前方に配置された仮想的な表示レイヤーの少なくとも一部の領域の表示色を変更し、前方ディスプレイにおける表示画像の明度が所定の基準値未満の場合、最前方に配置された仮想的な表示レイヤーの少なくとも一部の領域の表示色を変更しないので、前方ディスプレイにおける画像の表示領域の直下で最前方レイヤーに表示されている画像が、前方ディスプレイを透過して明確に視認可能な場合にのみ、前方ディスプレイの表示画像を透過する後方ディスプレイの表示色を適切に制御することができ、必要な場合に前方ディスプレイの表示の視認性を向上させることができる。
【００１７】
また、請求項５に記載の表示システムによれば、前方ディスプレイにおける表示画像の種別に基づき、最前方に配置された仮想的な表示レイヤーの少なくとも一部の領域の表示色を制御するので、前方ディスプレイにおける表示画像の種別が、後方ディスプレイに表示される画像を透過させてもよい種別か否かに応じて最前方レイヤーの表示色を適切に制御することができ、必要な場合に前方ディスプレイの表示の視認性を向上させることができる。
【図面の簡単な説明】
【００１８】
【図１】実施の形態に係る表示システムを例示するブロック図である。
【図２】前方ディスプレイ及び後方ディスプレイの配置を概略的に示した斜視図である。
【図３】前方ディスプレイ及び後方ディスプレイの表示を例示した正面図であり、図３（ａ）は前方ディスプレイの表示を例示した図、図３（ｂ）は後方ディスプレイの表示を例示した図、図３（ｃ）は重畳配置された前方ディスプレイ及び後方ディスプレイの前方から見た場合の表示を例示した図である。
【図４】表示処理のフローチャートである。
【図５】重畳配置された前方ディスプレイ及び後方ディスプレイの正面図であり、図５（ａ）は後方ディスプレイの最前方レイヤーの表示色を変更しない場合を例示した図、図５（ｂ）は後方ディスプレイの最前方レイヤーの表示色を変更した場合を例示した図である。
【発明を実施するための形態】
【００１９】
以下、本発明に係る表示システム、表示方法、及び表示プログラムの実施の形態について図面を参照しつつ詳細に説明する。ただし、この実施の形態によって本発明が限定されるものではない。なお、本発明に係る表示システム、表示方法、及び表示プログラムは、任意の目的に使用することができるが、以下の実施の形態では、カーナビゲーションシステムに適用した例を示す。
【００２０】
（構成）
最初に、実施の形態に係る表示システムの構成について説明する。図１は実施の形態に係る表示システムを例示するブロック図である。この図１に示すように、表示システム１は、タッチパネル１０、前方ディスプレイ１１、後方ディスプレイ１２、制御部１３、及びデータ記録部１４を備えている。
【００２１】
（構成−タッチパネル）
タッチパネル１０は、接触検出面を有する入力手段である。このタッチパネル１０は、透明又は半透明状に形成され、前方ディスプレイ１１の前面において当該前方ディスプレイ１１の表示面と重なり合うように設けられている。このタッチパネル１０としては、例えば抵抗膜方式や静電容量方式等による接触検出面を備えた公知のタッチパネルを使用することができる。
【００２２】
（構成−前方ディスプレイ及び後方ディスプレイ）
前方ディスプレイ１１及び後方ディスプレイ１２は、制御部１３の制御に基づき、各種の情報を表示する表示手段である。これらの前方ディスプレイ１１及び後方ディスプレイ１２は、例えば公知の液晶ディスプレイや有機ＥＬディスプレイの如きフラットパネルディスプレイを用いて構成されている。
【００２３】
図２は、前方ディスプレイ１１及び後方ディスプレイ１２の配置を概略的に示した斜視図である。この図２に示すように、前方ディスプレイ１１と後方ディスプレイ１２とは距離を隔てて重畳配置されている。ここで「前方」とは、前方ディスプレイ１１及び後方ディスプレイ１２における表示方向（図２における矢印の方向）を意味する。すなわち、後方ディスプレイ１２における表示面側に、前方ディスプレイ１１が重畳配置されている。
【００２４】
前方ディスプレイ１１は後方ディスプレイ１２の表示を透過可能なディスプレイ（例えば透明液晶ディスプレイや透明有機ＥＬディスプレイ）として構成されている。これにより、後方ディスプレイ１２の表示を前方ディスプレイ１１を通して視認可能である。すなわち、後方ディスプレイ１２の表示を前方ディスプレイ１１を透過させて、若しくは、後方ディスプレイ１２の表示を前方ディスプレイ１１の表示に重畳させて、表示可能である。
【００２５】
また、後方ディスプレイ１２が液晶ディスプレイである場合、図２に示すように、後方ディスプレイ１２を構成する液晶パネルの後方にバックライトが設けられる。このバックライトから発せられた光は、後方ディスプレイ１２の液晶パネルを介して当該後方ディスプレイ１２の前方に射出されて前方ディスプレイ１１に到達し、さらに前方ディスプレイ１１を介して当該前方ディスプレイ１１の前方に進行する。このように後方ディスプレイ１２から前方ディスプレイ１１に入射する光を前方ディスプレイ１１のバックライトとして利用することで、前方ディスプレイ１１の表示が視認可能となる。なお、有機ＥＬディスプレイを用いて後方ディスプレイ１２を構成した場合には、有機ＥＬディスプレイの各画素が自発光するため、バックライトは不要となる。
【００２６】
図３は前方ディスプレイ１１及び後方ディスプレイ１２の表示を例示した正面図であり、図３（ａ）は前方ディスプレイ１１の表示を例示した図、図３（ｂ）は後方ディスプレイ１２の表示を例示した図、図３（ｃ）は重畳配置された前方ディスプレイ１１及び後方ディスプレイ１２の前方から見た場合の表示を例示した図である。例えば図３（ａ）に示すように、前方ディスプレイ１１には各種アイコンが表示される。また、前方ディスプレイ１１におけるアイコン以外の領域は透明になるように設定される（例えば前方ディスプレイ１１が液晶ディスプレイを用いて構成されている場合、アイコン以外の領域の色が「白」に設定される）。また、図３（ｂ）に示すように、後方ディスプレイ１２には地図が表示される。この場合、図３（ｃ）に示すように、前方ディスプレイ１１におけるアイコン以外の領域では後方ディスプレイ１２に表示されている地図を前方ディスプレイ１１を透過させて表示可能となっている。また、前方ディスプレイ１１におけるアイコンの領域では、後方ディスプレイ１２に表示されている地図を前方ディスプレイ１１に表示されているアイコンに重畳させて表示可能となっている（すなわち、前方ディスプレイ１１のアイコンと後方ディスプレイ１２の地図とが重なって見える）。
【００２７】
（構成−制御部）
図１に戻り、制御部１３は、表示システム１の各部を制御するための制御手段であり、具体的には、ＣＰＵ、当該ＣＰＵ上で解釈実行される各種のプログラム（ＯＳなどの基本制御プログラムや、ＯＳ上で起動され特定機能を実現するアプリケーションプログラムを含む）、及びプログラムや各種のデータを格納するためのＲＡＭの如き内部メモリを備えて構成されるコンピュータである。特に、本実施の形態に係る表示プログラムは、任意の記録媒体又はネットワークを介して表示システム１にインストールされることで、制御部１３の各部を実質的に構成する。
【００２８】
この制御部１３は、機能概念的に、前方制御部１３ａ、及び後方制御部１３ｂを備えている。前方制御部１３ａは、前方ディスプレイ１１の表示制御を行う前方制御手段である。後方制御部１３ｂは、後方ディスプレイ１２の表示制御を行う後方制御手段である。この後方制御部１３ｂは、仮想的に重畳された複数の表示レイヤー毎の表示制御を行う。本実施の形態では、図２に例示するように、後方ディスプレイ１２において仮想的に重畳された２つの表示レイヤー（最前方レイヤー及び後方レイヤー）のそれぞれを後方制御部１３ｂが表示制御する場合を例として説明する。また、図１に示すように、後方制御部１３ｂは色制御部１３ｃを備えている。この色制御部１３ｃは、後方ディスプレイ１２の少なくとも一部の領域の表示色を制御する色制御手段である。これらの制御部１３の各部によって実行される処理の詳細については後述する。
【００２９】
（構成−データ記録部）
データ記録部１４は、表示システム１の動作に必要なプログラム及び各種のデータを記録する記録手段であり、例えば、外部記憶装置としてのハードディスク（図示省略）の如き磁気的記録媒体を用いて構成されている。ただし、ハードディスクに代えてあるいはハードディスクと共に、フラッシュメモリの如き半導体型記憶媒体、又はＤＶＤやブルーレイディスクの如き光学的記録媒体を含む、その他の任意の記録媒体を用いることができる。
【００３０】
（処理）
次に、このように構成された表示システム１によって実行される表示処理について説明する。図４は表示処理のフローチャートである（以下の各処理の説明ではステップを「Ｓ」と略記する）。この表示処理は、例えばナビゲーションアプリケーションやＨＭＩ（Ｈｕｍａｎ  Ｍａｃｈｉｎｅ  Ｉｎｔｅｒｆａｃｅ）アプリケーション（いずれも図示省略）等により、前方ディスプレイ１１及び後方ディスプレイ１２の全体として何を表示するのかが決定された場合に、繰り返し実行される。
【００３１】
図４に示すように、表示処理が開始されると、前方制御部１３ａは前方ディスプレイ１１に表示を行わせるための表示データを生成する（ＳＡ１）。例えば前方制御部１３ａは、ナビゲーションアプリケーションやＨＭＩアプリケーションにより決定された表示の中で前方ディスプレイ１１に表示させるべき画像や文字等（図３の例ではアイコン）を、前方ディスプレイ１１の表示態様として決定する。ここで「表示態様」とは、前方ディスプレイ１１や後方ディスプレイ１２における表示の状態や内容を含む概念であり、より詳細には、前方ディスプレイ１１や後方ディスプレイ１２における表示の明度、色、形状、種別や、当該表示としての画像、文字、情報等の内容を含む。そして、当該決定した表示態様に含まれる画像や文字等の画像データをデータ記録部１４から取得し、各画像データを前方ディスプレイ１１の所定の位置に表示するための表示データを生成する。
【００３２】
続いて色制御部１３ｃは、前方ディスプレイ１１における表示画像の明度及び表示色を特定する（ＳＡ２）。例えば色制御部１３ｃは、ＳＡ１で生成された表示データに基づき、前方ディスプレイ１１において画像や文字等（図３の例ではアイコン）が表示される領域の明度及び表示色を特定する。ここで「明度」とは、後方レイヤーにおける表示色の明るさを意味する値であり、例えば後方ディスプレイ１２が２４ｂｉｔのＲＧＢカラーモデルを用いている場合、０から２５５までの整数値（０が最も暗く、２５５が最も明るい）で表すことができる。
【００３３】
次に色制御部１３ｃは、前方ディスプレイ１１における表示画像の種別を特定する（ＳＡ３）。ここで「表示画像の種別」とは、前方ディスプレイ１１や後方ディスプレイ１２に表示される画像毎に予め設定された種別である。例えばナビゲーションアプリケーションやＨＭＩアプリケーションが前方ディスプレイ１１及び後方ディスプレイ１２の全体として何を表示するのかを決定する際に、これらのアプリケーションにより、前方ディスプレイ１１や後方ディスプレイ１２に表示される各画像の種別が決定され、表示システム１に入力される。このようにして入力された各画像の種別を取得することにより、色制御部１３ｃは前方ディスプレイ１１における表示画像の種別を特定する。表示画像の種別としては、例えば「アイコン」、「リスト」、「動画」、「テレビ」等が用いられる。
【００３４】
続いて色制御部１３ｃは、ＳＡ３で特定した前方ディスプレイ１１における表示画像の種別が、後方ディスプレイ１２に表示される画像を透過させてもよい種別か否かを判定する（ＳＡ４）。
【００３５】
例えば、表示画像の種別を特定する種別情報と、後方ディスプレイ１２に表示される画像を透過させてもよい種別か否かを特定する透過可否情報とを、相互に関連付けて格納する透過可否テーブルを、予めデータ記録部１４に記憶させておく。具体的には、前方ディスプレイ１１における表示画像の種別が「アイコン」等、あるいは「動画」や「テレビ」等である場合、すなわちサイズの小さい画像や動的に変化する画像が前方ディスプレイ１１に表示される場合、当該画像が表示されている領域において後方ディスプレイ１２に表示される画像を透過させると、前方ディスプレイ１１における表示画像と後方ディスプレイ１２における表示画像とが重なってしまい、前方ディスプレイ１１の表示の視認性が低下する可能性がある。そこで、種別「アイコン」、「動画」、「テレビ」等に対応して、後方ディスプレイ１２に表示される画像を透過させてはならない種別である旨の透過可否情報が透過可否テーブルに格納される。
【００３６】
一方、前方ディスプレイ１１における表示画像の種別が「リスト」等である場合、すなわち単純な画像や静的な画像等が前方ディスプレイ１１に表示される場合、当該画像が表示されている領域において後方ディスプレイ１２に表示される画像を透過させることにより、前方ディスプレイ１１における表示画像と後方ディスプレイ１２における表示画像とが重なっても、前方ディスプレイ１１に表示されているアイコンやリストの視認性は大きく低下しないと考えられる。そこで、種別「リスト」等に対応して、後方ディスプレイ１２に表示される画像を透過させてもよい種別である旨の透過可否情報が透過可否テーブルに格納される。
【００３７】
色制御部１３ｃは、ＳＡ３で特定した前方ディスプレイ１１における表示画像の種別に対応する透過可否情報を取得し、当該取得した透過可否情報に基づき、ＳＡ３で特定した前方ディスプレイ１１における表示画像の種別が後方ディスプレイ１２に表示される画像を透過させてもよい種別か否かを判定する（ＳＡ４）。
【００３８】
ＳＡ４の判定の結果、ＳＡ３で特定した前方ディスプレイ１１における表示画像の種別が、後方ディスプレイ１２に表示される画像を透過させてもよい種別ではない場合（ＳＡ４、Ｎｏ）、色制御部１３ｃは、ＳＡ２で特定した前方ディスプレイ１１における表示画像の明度が所定の基準値以上か否かを判定する（ＳＡ５）。この基準値は、前方ディスプレイ１１における画像の表示領域の直下で後方ディスプレイ１２の最前方レイヤーに表示されている画像が、前方ディスプレイ１１を透過して明確に視認可能となる値として設定される。基準値の具体的な値は任意で、例えば前方ディスプレイ１１が２４ｂｉｔのＲＧＢカラーモデルを用いている場合において、１２８を基準値とする。
【００３９】
ＳＡ５の判定の結果、ＳＡ２で特定した前方ディスプレイ１１における表示画像の明度が所定の基準値以上である場合（ＳＡ５、Ｙｅｓ）、当該画像が表示されている領域の直下で後方ディスプレイ１２の最前方レイヤーに表示されている画像が前方ディスプレイ１１を透過して明確に視認可能となることから、前方ディスプレイ１１の表示の視認性の低下を防止するため、色制御部１３ｃは、後方ディスプレイ１２における最前方レイヤーの少なくとも一部の領域の表示色を制御する（ＳＡ６）。具体的には、色制御部１３ｃは、生成された表示データに基づき、前方ディスプレイ１１において画像や文字等が表示される領域を特定し、当該特定した領域に対応する領域（例えば当該特定した領域と重なる領域）において、最前方レイヤーの表示色を前方ディスプレイ１１に表示される画像と同系色に変更する。
【００４０】
図５は重畳配置された前方ディスプレイ１１及び後方ディスプレイ１２の正面図であり、図５（ａ）は後方ディスプレイ１２の最前方レイヤーの表示色を変更しない場合を例示した図、図５（ｂ）は後方ディスプレイ１２の最前方レイヤーの表示色を変更した場合を例示した図である。図５（ａ）に示すように、後方ディスプレイ１２の最前方レイヤーの表示色を変更しない場合、前方ディスプレイ１１にアイコンが表示されている領域の直下で後方ディスプレイ１２の最前方レイヤーに表示されている地図が前方ディスプレイ１１を透過して明確に視認可能となることから、前方ディスプレイ１１におけるアイコンと後方ディスプレイ１２における地図とが重なってしまい、アイコンの視認性が低下する可能性がある。そこで色制御部１３ｃは、図５（ｂ）に示すように、前方ディスプレイ１１にアイコンが表示されている領域と重なる領域において、後方ディスプレイ１２の最前方レイヤーの表示色を前方ディスプレイ１１に表示されるアイコンと同系色に変更する。これにより、アイコンの視認性の低下を防止することができる。
【００４１】
図４に戻り、ＳＡ６の処理の後、後方制御部１３ｂは、後方ディスプレイ１２に表示を行わせるための表示データを生成する（ＳＡ７）。例えば後方制御部１３ｂは、ナビゲーションアプリケーションやＨＭＩアプリケーションにより決定された表示の中で後方ディスプレイ１２に表示させるべき画像や文字等（図３の例では地図）を、後方ディスプレイ１２の表示態様として決定する。そして、当該決定した表示態様に含まれる画像や文字等の画像データをデータ記録部１４から取得し、各画像データを後方ディスプレイ１２における後方レイヤーの所定の位置に表示するための表示データを生成する。さらに後方制御部１３ｂは、ＳＡ６における最前方レイヤーの表示色の制御結果に基づき、最前方レイヤーに表示を行わせるための表示データを生成する。図３の例では、後方制御部１３ｂは、図３（ｂ）に示すように前方ディスプレイ１１でアイコンの画像が表示される領域に対応する領域において最前方レイヤーがアイコンと同系色となるような表示データを生成する。これらの表示データを合成することにより、後方ディスプレイ１２に表示を行わせるための表示データが生成される。
【００４２】
図４に戻り、ＳＡ４において、ＳＡ３で特定した前方ディスプレイ１１における表示画像の種別が、後方ディスプレイ１２に表示される画像を透過させてもよい種別である場合（ＳＡ４、Ｙｅｓ）、後方ディスプレイ１２に表示される画像を透過させても支障は少ないと考えられることから、後方制御部１３ｂは最前方レイヤーの表示色の制御を行うことなく、後方ディスプレイ１２に表示を行わせるための表示データを生成する（ＳＡ７）。
【００４３】
また、ＳＡ５において、ＳＡ２で特定した前方ディスプレイ１１における表示画像の明度が所定の基準値以上ではない（基準値未満である）場合（ＳＡ５、Ｎｏ）、当該画像が表示されている領域における透過率は低く、当該画像の表示領域の直下で後方ディスプレイ１２の最前方レイヤーに表示されている画像は、前方ディスプレイ１１を透過して明確に視認可能ではないと考えられることから、後方制御部１３ｂは最前方レイヤーの表示色の制御を行うことなく、後方ディスプレイ１２に表示を行わせるための表示データを生成する（ＳＡ７）。
【００４４】
この場合、後方制御部１３ｂは、ナビゲーションアプリケーションやＨＭＩアプリケーションにより決定された表示の中で後方ディスプレイ１２に表示させるべき画像や文字等（図３の例では地図）を、後方ディスプレイ１２の表示態様として決定する。そして、当該決定した表示態様に含まれる画像や文字等の画像データをデータ記録部１４から取得し、各画像データを前方ディスプレイ１１の所定の位置に表示するための表示データを生成する。また後方制御部１３ｂは、最前方レイヤーの全体を透明とするための表示データを生成する。これらの表示データを合成することにより、後方ディスプレイ１２に表示を行わせるための表示データが生成される。
【００４５】
ＳＡ７の処理の後、前方制御部１３ａはＳＡ１で生成した表示データに基づき前方ディスプレイ１１の表示制御を行い、後方制御部１３ｂはＳＡ７で生成した表示データに基づき後方ディスプレイ１２の最前方レイヤー及び後方レイヤーの表示制御を行う（ＳＡ８）。これにより、前方ディスプレイ１１及び後方ディスプレイ１２によって各表示データに対応する表示出力が行われる。ＳＡ８の処理の後、制御部１３は表示処理を終了する。
【００４６】
（効果）
このように実施の形態によれば、前方ディスプレイ１１における表示画像の明度に基づき、後方ディスプレイ１２の少なくとも一部の領域の表示色を制御するので、前方ディスプレイ１１の表示画像を透過する後方ディスプレイ１２の表示色を適切に制御することができ、前方ディスプレイ１１の表示の視認性を向上させることができる。
【００４７】
また、複数の仮想的な表示レイヤーを後方ディスプレイ１２に重畳表示し、前方ディスプレイ１１における表示画像の明度に基づき、複数の仮想的な表示レイヤーの中から前方ディスプレイ１１側から見て最前方に配置された仮想的な表示レイヤーの少なくとも一部の領域の表示色を制御するので、前方ディスプレイ１１の表示画像を透過する最前方レイヤーの表示色を適切に制御することができ、後方ディスプレイ１２の表示制御に要する処理負荷の増大を抑制しつつ、前方ディスプレイ１１の表示の視認性を向上させることができる。
【００４８】
また、前方ディスプレイ１１における表示画像の明度が所定の基準値以上か否かを判定し、当該判定結果に基づき、最前方に配置された仮想的な表示レイヤーの少なくとも一部の領域の表示色を制御するので、前方ディスプレイ１１における画像の表示領域の直下で最前方レイヤーに表示されている画像が、前方ディスプレイ１１を透過して明確に視認可能か否かに応じて最前方レイヤーの表示色を適切に制御することができ、必要な場合に前方ディスプレイ１１の表示の視認性を向上させることができる。
【００４９】
また、前方ディスプレイ１１における表示画像の明度が所定の基準値以上の場合、最前方に配置された仮想的な表示レイヤーの少なくとも一部の領域の表示色を変更し、前方ディスプレイ１１における表示画像の明度が所定の基準値未満の場合、最前方に配置された仮想的な表示レイヤーの少なくとも一部の領域の表示色を変更しないので、前方ディスプレイ１１における画像の表示領域の直下で最前方レイヤーに表示されている画像が、前方ディスプレイ１１を透過して明確に視認可能な場合にのみ、前方ディスプレイ１１の表示画像を透過する後方ディスプレイ１２の表示色を適切に制御することができ、必要な場合に前方ディスプレイ１１の表示の視認性を向上させることができる。
【００５０】
また、前方ディスプレイ１１における表示画像の種別に基づき、最前方に配置された仮想的な表示レイヤーの少なくとも一部の領域の表示色を制御するので、前方ディスプレイ１１における表示画像の種別が、後方ディスプレイ１２に表示される画像を透過させてもよい種別か否かに応じて最前方レイヤーの表示色を適切に制御することができ、必要な場合に前方ディスプレイ１１の表示の視認性を向上させることができる。
【００５１】
〔実施の形態に対する変形例〕
以上、本発明に係る実施の形態について説明したが、本発明の具体的な構成及び手段は、特許請求の範囲に記載した各発明の技術的思想の範囲内において、任意に改変及び改良することができる。以下、このような変形例について説明する。
【００５２】
（解決しようとする課題や発明の効果について）
まず、発明が解決しようとする課題や発明の効果は、上述の内容に限定されるものではなく、発明の実施環境や構成の細部に応じて異なる可能性があり、上述した課題の一部のみを解決したり、上述した効果の一部のみを奏することがある。
【００５３】
（表示システムについて）
上述の実施の形態では、前方ディスプレイ１１と後方ディスプレイ１２が距離を隔てて重畳配置された表示システム１について説明したが、このような２枚のディスプレイを重畳配置する場合に限らず、３枚以上の複数のディスプレイが距離を隔てて重畳配置された表示システムにも本発明を同様に適用することができる。
【００５４】
（後方制御部について）
上述の実施の形態では、後方ディスプレイ１２において仮想的に重畳された２つの表示レイヤー（最前方レイヤー及び後方レイヤー）のそれぞれを後方制御部１３ｂが表示制御する場合を例として説明したが、仮想的に重畳された３以上の表示レイヤーのそれぞれを後方制御部１３ｂが表示制御するようにしてもよい。この場合、上述の実施の形態における「後方レイヤー」に代えて、後方制御部１３ｂは「最前方レイヤー以外のレイヤー」のそれぞれを表示制御する。
【００５５】
また、仮想的に重畳された複数の表示レイヤーを設定せず、後方ディスプレイ１２を単一のレイヤーとして後方制御部１３ｂが表示制御するようにしてもよい。この場合、図４の表示処理のＳＡ６において色制御部１３ｃは後方ディスプレイ１２の少なくとも一部の領域（前方ディスプレイ１１においてアイコンやメニューウィンドウ等の画像や文字等が表示される領域と重なる領域）の表示色を制御する。
【００５６】
（表示処理について）
上述の実施の形態では、図４の表示処理のＳＡ４において、ＳＡ３で特定した前方ディスプレイ１１における表示画像の種別が、後方ディスプレイ１２に表示される画像を透過させてもよい種別か否かを判定する場合を例として説明したが、これらのＳＡ３、及びＳＡ４の処理を省略し、前方ディスプレイ１１における表示画像の種別が、後方ディスプレイ１２に表示される画像を透過させてもよい種別か否かに関わらず、ＳＡ５からＳＡ８の処理を実行するようにしてもよい。
【符号の説明】
【００５７】
１  表示システム
１０  タッチパネル
１１  前方ディスプレイ
１２  後方ディスプレイ
１３  制御部
１３ａ  前方制御部
１３ｂ  後方制御部
１３ｃ  色制御部
１４  データ記録部
【図１】
2013130841.tif 000003
【図２】
2013130841.tif 000004
【図３】
2013130841.tif 000005
【図４】
2013130841.tif 000006
【図５】
2013130841.tif 000007